(57)【要約】      （修正有）【課題】農薬の散布が極めて楽に且つ良好に行える、農薬散布装置を提供する。【解決手段】農業用車両３０に取り付けられ農薬を散布する農薬散布装置であって、前記農業用車両の被連結部３１に着脱自在に連結される取付本体部を有し、この取付本体部には、先端部に前記農薬噴射部３を備えたアーム部材２が起立状態から倒伏状態までの回動角度範囲で起伏回動自在に設けられ、更に、前記アーム部材の前記回動角度範囲における複数の回動角度で当該アーム部材を保持する角度保持機構４を具備したものである。【選択図】図１
0003234267.tif 000002
【実用新案登録請求の範囲】
【請求項１】
農業用車両に取り付けられ農薬を散布する農薬散布装置であって、前記農業用車両の被連結部に着脱自在に連結される取付本体部を有し、この取付本体部には、先端部に前記農薬噴射部を備えたアーム部材が起立状態から倒伏状態までの回動角度範囲で起伏回動自在に設けられ、更に、前記アーム部材の前記回動角度範囲における複数の回動角度で当該アーム部材を保持する角度保持機構を具備していることを特徴とする農薬散布装置。
【請求項２】
請求項１記載の散布装置において、前記アーム部材は、前記取付本体部に軸回動自在に設けられた回動軸の先端部に設けられ、前記回動軸の基端部には該回動軸を手動で回動操作する操作レバーが設けられていることを特徴とする農薬散布装置。
【請求項３】
請求項２記載の農薬散布装置において、前記取付本体部には、前記操作レバーに係止する係止凹部が該操作レバーの回動方向に複数並設されることで前記角度保持機構が構成されていることを特徴とする農薬散布装置。
【請求項４】
請求項１〜３いずれか１項に記載の農薬散布装置において、前記農薬噴射部は前記アーム部材の長さ方向に移動可能に設けられていることを特徴とする農薬散布装置。
【請求項５】
請求項１〜４いずれか１項に記載の農薬散布装置において、前記農薬噴射部は前記アーム部材の長手方向と交叉する方向に移動可能に設けられていることを特徴とする農薬散布装置。
【請求項６】
請求項１〜５いずれか１項に記載の農薬散布装置において、前記農業用車両は水田を走行可能な田植え機，乗用管理機若しくはトラクターであることを特徴とする農薬散布装置。
【考案の詳細な説明】
【技術分野】
【０００１】
本考案は、農業用車両に取り付けられる農薬散布装置に関するものである。
【背景技術】
【０００２】
従来から、農地に農薬を散布するための装置として、例えば特開２０１４−１８１３９号に開示されるような農薬散布装置が提案されている。
【０００３】
この農薬散布装置は、液状の農薬が収納され背負いベルトが設けられるタンク部と、このタンク部に収納された農薬を圧送する圧送部と、この圧送部で圧送された農薬を噴射するパイプ状の噴射部とを有するものであり、農薬を散布する際には、作業者は背負いベルトを利用してタンク部を背負い、この状態で農地内を歩いて噴射部をスイングしながら圧送部から圧送される農薬を噴射散布する。
【０００４】
しかしながら、この背負い式の農薬散布装置は、タンク部に農薬を入れると総重量が２０〜３０ｋｇとなって非常に重く、特に足場の悪い水田での使用は大変であり、転倒事故も懸念されている。近年、農業従事者の高齢化が進む中、この農薬の散布作業における労力軽減は大きな課題となっている。
【０００５】
そこで、本出願人は、前記問題点を解消すべく、既に実用新案登録第３２２３８７５号に開示される散布措置（以下、従来例）を提案している。
【０００６】
この従来例は、農業用車両の前側に設けられた被取付部に着脱自在に連結される取付本体部を有し、また、農業用車両の所定位置には前述した農薬散布装置を設置可能に設けられ、取付本体部にはこの農薬散布装置から延設される農薬噴射管を水平往復回動自在に設けたものである。
【先行技術文献】
【特許文献】
【０００７】
【特許文献１】特開２０１４−１８１３９号公報
【特許文献１】実用新案登録第３２２３８７５号公報
【考案の概要】
【考案が解決しようとする課題】
【０００８】
本出願人は、前述した農業用車両に取り付けた状態で農薬を散布する散布装置について更なる開発を進めた結果、従来に無い実用的な農薬散布装置を考案した。
【課題を解決するための手段】
【０００９】
添付図面を参照して本考案の要旨を説明する。
【００１０】
農業用車両30に取り付けられ農薬を散布する農薬散布装置であって、前記農業用車両30の被連結部31に着脱自在に連結される取付本体部１を有し、この取付本体部１には、先端部に前記農薬噴射部３を備えたアーム部材２が起立状態から倒伏状態までの回動角度範囲で起伏回動自在に設けられ、更に、前記アーム部材２の前記回動角度範囲における複数の回動角度で当該アーム部材２を保持する角度保持機構４を具備していることを特徴とする農薬散布装置に係るものである。
【００１１】
また、請求項１記載の散布装置において、前記アーム部材２は、前記取付本体部１に軸回動自在に設けられた回動軸５の先端部に設けられ、前記回動軸５の基端部には該回動軸５を手動で回動操作する操作レバー６が設けられていることを特徴とする農薬散布装置に係るものである。
【００１２】
また、請求項２記載の農薬散布装置において、前記取付本体部１には、前記操作レバー６に係止する係止凹部４ａが該操作レバー６の回動方向に複数並設されることで前記角度保持機構４が構成されていることを特徴とする農薬散布装置に係るものである。
【００１３】
また、請求項１〜３いずれか１項に記載の農薬散布装置において、前記農薬噴射部３は前記アーム部材２の長さ方向に移動可能に設けられていることを特徴とする農薬散布装置に係るものである。
【００１４】
また、請求項１〜４いずれか１項に記載の農薬散布装置において、前記農薬噴射部３は前記アーム部材２の長手方向と交叉する方向に移動可能に設けられていることを特徴とする農薬散布装置に係るものである。
【００１５】
また、請求項１〜５いずれか１項に記載の農薬散布装置において、前記農業用車両30は水田を走行可能な田植え機，乗用管理機若しくはトラクターであることを特徴とする農薬散布装置に係るものである。
【考案の効果】
【００１６】
本考案は上述のように構成したから、農薬の散布が極めて楽に且つ良好に行えるなど、従来に無い非常に実用的な農薬散布装置となる。
【図面の簡単な説明】
【００１７】
【図１】本実施例に係る農薬散布装置Ｘを農業用車両30に取り付けた状態の説明図である。
【図２】本実施例を示す斜視図である。
【図３】本実施例の要部の動作説明図である。
【図４】本実施例の要部の動作説明図である。
【図５】本実施例の要部の動作説明図である。
【図６】本実施例の要部の動作説明図である。
【図７】本実施例の要部の動作説明図である。
【図８】本実施例の要部の動作説明図である。
【図９】本実施例の使用状態説明図である。
【図１０】本実施例の使用状態説明図である。
【考案を実施するための形態】
【００１８】
好適と考える本考案の実施形態を、図面に基づいて本考案の作用を示して簡単に説明する。
【００１９】
本考案は、農業用車両30の被取付部31に取付本体部１を連結し、この状態で農業用車両30を走行させて作業場所まで移動したり、作業場所で農業用車両30を走行させながら農薬を散布する。
【００２０】
具体的には、例えばアーム部材２を起立状態（格納状態）としておくことで、保管時は勿論、移動時にはアーム部材２が邪魔になることがなく、一方、農薬の散布時には、この起立状態のアーム部材２を伏し回動させて倒伏状態とし、この状態で農業用車両30を走行させながら農薬噴射部３から農薬を噴射すると、この農薬噴射部３が通過した部位に農薬が散布される。
【００２１】
従って、前述したようにこれまで作業者が背負うことで行っていた農薬の散布作業の代わりに、既存の農業用車両30に取り付けて散布を行うことができる為、作業者の労力を可及的に軽減することができ、農薬の散布が極めて楽に行えることになる。
【００２２】
また、本考案は、アーム部材２の回動角度範囲における複数の回動角度で当該アーム部材２を保持する角度保持機構を具備しており、農薬を散布する部位、例えば水田の畦や、水田と道路の境界となる背高い法面など、作業場所によって異なる地形に対応してアーム部材２の回動角度を任意に設定することができ、農薬を良好に散布できる。
【実施例】
【００２３】
本考案の具体的な実施例について図面に基づいて説明する。
【００２４】
本実施例は、農業用車両30に取り付けられ農薬50を散布する農薬散布装置Ｘである。
【００２５】
本実施例では、農業用車両30として、図１に図示したように代掻き作業前の水田（水が張られてぬかるんだ水田）を走行可能な田植え機を採用しており、この農業用車両30の前方左右部位には、棚装置を止着部材20（ボルト・ナット）を介して着脱自在に連結する被取付部31（既設の被連結部）が設けられている。
【００２６】
尚、農業用車両30は田植え機に限らず、例えば乗用管理機やトラクターや整地キャリアーや運搬車など本実施例の特性を発揮するものであれば適宜採用し得るものである。
【００２７】
具体的には、本実施例は、農業用車両30の被連結部31に着脱自在に連結される取付本体部１を有している。
【００２８】
この取付本体部１は、図１〜３に図示したように適宜な金属製の部材で形成され、間隔を介して対設される一対の縦材１ａとこの縦材１ａの上部間に架設される横材１ｂとから成る門型の枠状体であり、この縦材１ａ夫々の下端部には農業用車両30の被取付部31に着脱自在に連結される連結部７が設けられている。
【００２９】
この連結部７は、取付本体部１を構成する縦材１ａ夫々の下端部間に架設され孔７ａを有する板状体であり、この連結部７を被取付部31の表面側に重合し、この状態で止着部材20（ボルト・ナット）を締付け止着することで連結される。
【００３０】
また、取付本体部１の下部には、後述する回転軸５を軸回転自在に軸受けする軸受け部８が設けられている。
【００３１】
この軸受け部８は、図２，３に図示したように適宜な金属製の部材で形成された管状体であり、取付本体部１を構成する縦材１ａの下端部間に架設されており、この軸受け部８に回転軸５が貫通状態で軸回転自在に軸受けされている。
【００３２】
また、この軸受け部８から突出する回転軸５の先端部には、後述するアーム部材２が設けられ、一方、この軸受け部８から突出する回転軸５の基端部には、後述する操作レバー６が設けられており、この操作レバー６の操作により回動軸５を軸回動させることでアーム部材２が起立状態（略鉛直状態）から倒伏状態（略水平状態）までの回動角度範囲（約９０度）で起伏回動自在となるように設けられている。
【００３３】
アーム部材２は、図１〜３に図示したように適宜な金属製の部材で形成されたＬ字状の棒状体であり、その屈曲部２ａよりも基端側部位は連結部材９を介して回転軸５の先端部に連結されている。
【００３４】
この連結部材９は、回転軸５の先端部に被篏連結される第一連結部９ａと、アーム部材２の基端部をスライド移動自在に貫挿連結する第二連結部９ｂとを有している。
【００３５】
従って、アーム部材２を連結部材９に対してスライド移動させることで後述する農薬噴射部３が該アーム部材２の長手方向と交叉（略直交）する方向に移動可能となる。これはアーム部材２を最も倒した倒伏状態において農薬噴射部３の高さ調整となる。
【００３６】
符号21はアーム部材２を任意の位置でスライド固定する止着部材である。
【００３７】
また、アーム部材２の先端部には農薬噴射部３が設けられている。
【００３８】
この農薬噴射部３は、図１〜３に図示したようにアーム部材２にスライド移動自在に被篏連結される可動部材10に、後述する農薬供給部15のホース部15ｃが接続される一対の噴射ノズル３ａを設けて構成されている。尚、噴射ノズル３ａの数は例えば１〜１０個などの適宜変更することができる。
【００３９】
従って、農薬噴射部３はアーム部材２の長さ方向に移動可能となり、農薬供給部15から供給される農薬50を各噴射ノズル３ａから噴射する。これは、アーム部材２を最も倒した倒伏状態において農薬噴射部３の左右方向の位置調整となる。
【００４０】
尚、アーム部材２には農薬噴射部３及び被噴射部位（畦60）の周囲を覆い農薬50の飛散を防止するカバー体12が適宜設けられる（図９参照）。
【００４１】
符号11はアーム部材２と取付本体１との間に設けられ該アーム部材２の最も倒した倒伏状態を保持する紐状部材（チェーン部材）、22は可動部材10を任意の位置でスライド固定する止着部材である。
【００４２】
操作レバー６は、図１〜３に図示したように適宜な金属製の部材で形成された棒状体であり、上端部にはグリップ部６ａが設けられ、下端部には回動軸５に連結する連結部6ｂが設けられている。
【００４３】
従って、グリップ部６ａを握持して操作レバー６を回動操作することで、アーム部材２を起立状態から倒伏状態までの回動角度範囲で起伏回動することができる。
【００４４】
また、本実施例では、前述したアーム部材２の回動角度範囲（起立状態から倒伏状態までの約９０度）における複数の回動角度で段階的に当該アーム部材２を保持する角度保持機構４を具備している。
【００４５】
この角度保持機構４は、図１〜３に図示したように操作レバー６に係止する複数の係止凹部４ａを取付本体部１の縦材１ａに突設される板材に設けて構成されている。
【００４６】
本実施例では、これら係止凹部４ａを操作レバー６の回動方向に３つ並設されている。
【００４７】
具体的には、図４に図示したようにアーム部材２を最も起こした起立状態（格納状態）の場合に操作レバー６を保持する第一の係止凹部４ａと、図５に図示したように第一の係止凹部４ａに隣設され、アーム部材２を所定の回動角度だけ倒し方向に回動させて倒した状態（使用状態）の場合に操作レバー６を保持する第二の係止凹部４ａと、図６に図示したように第二の係止凹部４ａに隣設され、アーム部材２を所定の回動角度だけ倒し方向に回動させて倒した状態（使用状態）の場合に操作レバー６を保持する第三の係止凹部４ａが設けられている。尚、操作レバー６における係止凹部４ａへの係脱は、操作レバー６の回動方向への移動と該回動方向と直交する方向への僅かな弾性を利用した移動とで行われる。
【００４８】
従って、農薬50を散布する部位に応じてアーム部材２を倒伏状態としたり傾斜状態とするなど、回動角度を段階的に適宜設定することができ、また、農薬噴射部３をアーム部材２の長さ方向に移動したり、アーム部材２の長手方向と直交する方向に移動して、農薬噴射部３の位置を適宜可変することができる（図８参照）。
【００４９】
農薬供給部15は、図１に図示したように農薬50が収納されるタンク部15ａと、このタンク部15ａに収納された農薬50を圧送するポンプ部15ｂと、このポンプ部15ｂで圧送された農薬50を搬送するホース部15ｃ（可撓性を有するホース）とで構成され、このホース部15ｃは噴射ノズル３ａに接続されている。
【００５０】
符号15ｄは弁体である。
【００５１】
また、本実施例では、ポンプ部15ｂにホース部16ａを介して接続されるガンタイプの農薬噴射器16が設けられており、例えば農薬噴射部３では噴射できなかったような部位にこの農薬噴射器16から農薬50を噴射する。
【００５２】
符号16ｂは弁体、17は農薬噴射器16を不使用時に収納する筒状のスタンドである。
【００５３】
尚、本実施例では、農薬散布装置Ｘを農業用車両30の左右側面の一方のみに設けたが、左右側面双方に設けても良い。
【００５４】
本実施例は上述のように構成したから、農業用車両30の被取付部31に取付本体部１を連結し、この状態で農業用車両30を走行させて作業場所まで移動したり、作業場所で農業用車両30を走行させながら農薬50（除草用液剤）を散布する。
【００５５】
具体的には、例えばアーム部材２を起立状態（格納状態）としておくことで、保管時は勿論、移動時にはアーム部材２が邪魔になることがなく、一方、農薬50の散布時には、この起立状態のアーム部材２を伏し回動させて倒伏状態とし、この状態で農業用車両30を走行させながら農薬噴射部３から農薬50を噴射すると、この農薬噴射部３が通過した部位に農薬50が散布される。
【００５６】
よって、本実施例によれば、前述したようにこれまで作業者が背負うことで行っていた農薬50の散布作業の代わりに、既存の農業用車両30に取り付けて散布を行うことができる為、作業者の労力を可及的に軽減することができ、農薬50の散布が極めて楽に行え、しかも、農薬50の少量散布も可能となる。
【００５７】
また、本実施例は、アーム部材２の回動角度範囲における複数の回動角度で当該アーム部材２を保持する角度保持機構を具備しており、農薬50を散布する部位、例えば水田の畦60（図９参照）や、水田と道路の境界となる傾斜面としての背高い法面61（図10参照）など、作業場所によって異なる地形に対応してアーム部材２の回動角度を任意に設定することができ、農薬50を良好に散布できる。
【００５８】
また、本実施例は、アーム部材２は、前記取付本体部１に軸回動自在に設けられた回動軸５の先端部に設けられ、前記回動軸５の基端部には該回動軸５を手動で回動操作する操作レバー６が設けられているから、前述した作用効果を確実に奏することになる。
【００５９】
また、本実施例は、取付本体部１には、操作レバー６に係止する係止凹部４ａが該操作レバー６の回動方向に複数並設されることで角度保持機構４が構成されているから、この点においても前述した作用効果を確実に奏することになる。
【００６０】
また、本実施例は、農薬噴射部３はアーム部材２の長さ方向に移動可能に設けられているから、農薬噴射部３の位置を適宜可変することができ、この点においても前述した作用効果を確実に奏することになる。
【００６１】
また、本実施例は、農薬噴射部３はアーム部材２の長手方向と直交する方向に移動可能に設けられているから、農薬噴射部３の位置を適宜可変することができ、この点においても前述した作用効果を確実に奏することになる。
【００６２】
また、本実施例は、農業用車両30は水田を走行可能な田植え機，乗用管理機若しくはトラクターであるから、既存の装置を有効に利用して良好な農薬50の散布作業が行われることになる。
【００６３】
尚、本考案は、本実施例に限られるものではなく、各構成要件の具体的構成は適宜設計し得るものである。
【符号の説明】
【００６４】
１  取付本体部
２  アーム部材
３  農薬噴射部
４  角度保持機構
４ａ  係止凹部
５  回転軸
６  操作レバー
30  農業用車両
31  被連結部
【図１】
0003234267.tif 000003
【図２】
0003234267.tif 000004
【図３】
0003234267.tif 000005
【図４】
0003234267.tif 000006
【図５】
0003234267.tif 000007
【図６】
0003234267.tif 000008
【図７】
0003234267.tif 000009
【図８】
0003234267.tif 000010
【図９】
0003234267.tif 000011
【図１０】
0003234267.tif 000012